(57)【要約】      （修正有）【課題】照明具１１の玉切れの頻度を低下させ、また照明具１１のネジ止め個所が弛緩したりボルトが抜け落ちて照明具１１の部品が脱落するなどの現象を阻止するクレーン用照明用具取付装置の提供。【解決手段】縦向き支持パイプ１８の下端に照明具装着部１９を、そして該縦向き支持パイプ１８の長さ方向途中の上下個所のそれぞれに止着部２０を形成されており、前記照明具装着部１９は照明具１１を前記縦向き支持パイプ１８の下端に弾性部材２１を介して前後方向ｆ２の揺動変位可能に結合したものとなされ、また前記止着部２０のそれぞれは前記縦向き支持パイプ１８の前後何れかの個所に弾性部材２２を介して被支持部材２３を上下揺動可能に結合したものとなされる。【選択図】図３
0003112707.tif 000002
【実用新案登録請求の範囲】
【請求項１】
縦向き支持パイプの下端に照明具装着部を、そして該縦向き支持パイプの長さ方向途中の上下個所のそれぞれに止着部を形成されており、前記照明具装着部は照明具を前記縦向き支持パイプの下端に第１弾性部材を介して前後方向の揺動変位可能に結合したものとなされ、また前記止着部のそれぞれは前記縦向き支持パイプの前後何れかの個所に第２弾性部材を介して被支持部材を上下揺動可能に結合したものとなされていることを特徴とするクレーン用照明具取付装置。
【請求項２】
前記照明具装着部が、前後側に対面した一対の第１傾斜面を前後側に下拡がり又は上拡がりの配置状態で形成された第１結合板と、前記一対の第１傾斜面の前後方向外側位置にこれら第１傾斜面に対面するように配置された一対の第２傾斜面を形成された第２結合板とを備え、前記第１傾斜面のそれぞれと、この第１傾斜面の対応する１つの第２傾斜面とをゴム質材からなる前記第１弾性部材で結合すると共に、前記第１及び第２結合板のうち何れか一方は前記縦向き支持パイプの下端に固定され、他方は前記照明具を固定されて支持する構成となされていることを特徴とする請求項１記載のクレーン用照明具取付装置。
【請求項３】
前記第１結合板及び又は前記第２結合板が円錐筒部を具備しており、前記第１傾斜面及び又は前記第２傾斜面が前記円錐筒部の前後個所に形成されていることを特徴とする請求項２記載のクレーン用照明具取付装置。
【請求項４】
前記照明具装着部が、前記縦向き支持パイプの下端に固定される第１支持板と、前記照明具を固定された第２支持板とを備え、前記第１支持板の前部と前記第２支持板の前部との間、及び、前記第１支持板の後部と前記第２支持板の後部との間のそれぞれを、縦向きのスプリングからなる前記第１弾性部材、及び、このスプリングを上下方向の伸縮変形可能に案内する案内部材を介して結合した構成となされていることを特徴とする請求項１記載のクレーン用照明具取付装置。
【請求項５】
前記止着部のそれぞれが、前記縦向き支持パイプに固定されていて前記縦向き支持パイプの前後何れかの側に上下で対向した一対の第１水平面を形成した上下一対の張出部材と、前記上下一対の水平面の間に配置され且つ、前記一対の第１水平面に対面する一対の第２水平面を具備した被支持部材とを備え、前記第１水平面のそれぞれと、この第１水平面の対応する１つの第２水平面とをゴム質材からなる前記第２弾性部材で結合した構成となされていることを特徴とする請求項１、２、３又は４記載のクレーン用照明具取付装置。
【請求項６】
前記被支持部材が下方へ片持ち状に延出された下向き張出部を具備し、この下向き張出部がクレーン本体のガーダーの側面に設けられた弾圧支持部に上方から挿入され、この挿入状態の下で前記弾圧支持部の一部をなす弾圧手段を介して前記弾圧支持部の支持面に弾圧されて位置保持されることを特徴とする請求項１、２、３、４又は５記載のクレーン用照明具取付装置。
【考案の詳細な説明】
【技術分野】
【０００１】
本考案は、クレーン本体にその下方を照らす照明具を取り付ける際に使用されるクレーン用照明具取付装置に関する。
【背景技術】
【０００２】
製鉄所などの工場内にはクレーン本体が走行レール上を走行するものとなされた多数の大形走行クレーンが設置されている。この大形走行クレーンの使用中にはその下方で荷体へのワイヤー掛けや荷体の識別などの作業が行われるため、クレーン本体にその下方の作業領域を照明するための照明具が装着される。
この種の照明具は走行クレーンの使用中に激しい振動が付与されるため、従来より、耐振形のものが使用されているのであり、またクレーン本体へのその装着は適宜な取付装置を介して行われている（例えば特許文献１参照）。
【０００３】
【特許文献１】実全平０２−０１０３９４号公報
【考案の開示】
【考案が解決しようとする課題】
【０００４】
上記した大形走行クレーンの吊荷状態での使用中において、クレーン本体の走行開始時や走行停止時のほか、クレーン本体の走行輪が走行レールの継ぎ目上に位置したときなどに、照明具に走行方向（前後方向）や上下方向の極めて大きな振幅の振動が付与されることから、たとえ耐振形の照明具が使用されていても照明具の玉切れが頻繁に生じ、また照明具のネジ止め個所が弛緩したりボルトが抜け落ちて照明具の部品が脱落するなどの事態が生じるのである。
【０００５】
上記照明具の玉切れは振動の大きいクレーンでは、単一の照明具について１年以内程度の期間ごとに一回生じるものとなり、製鉄所などのように多数の走行クレーンが存在する場合には、照明具の数も多数に達するため、その修理費は少なくないものとなるほか、その修理が間に合わなくなり、多くのクレーンにおいて照明具の玉切れ状態が比較的長く継続するようになり、操業に支障を来す恐れもある。
【０００６】
また製鉄所などの工場内は昼間でも暗いので常時、天井灯で明るく照明しているが、クレーン本体の下方では天井灯の照明がクレーン本体で遮られてしまうので、クレーン本体の照明具の玉切れが生じると、クレーン下方の作業場所は十分な明かりが得られず、荷体へのワイヤー掛け、荷体の昇降作業、吊り移動される荷体の識別、又は、荷体や帳面への文字記入などの作業が的確に行い難くなる。
【０００７】
本考案は、斯かる問題点を解決することのできるクレーン用照明具取付装置を提供することを目的とする。
【課題を解決するための手段】
【０００８】
上記目的を達成するため、本考案に係るクレーン用照明具取付装置は、請求項１に記載したように、縦向き支持パイプの下端に照明具装着部を、そして該縦向き支持パイプの長さ方向途中の上下個所のそれぞれに止着部を形成されたものであって、前記照明具装着部は照明具を前記縦向き支持パイプの下端に第１弾性部材を介して前後方向の揺動変位可能に結合したものとなされ、また前記止着部のそれぞれは前記縦向き支持パイプの前後何れかの個所に第２弾性部材を介して被支持部材を上下揺動可能に結合したものとなされていることを特徴とするものである。
【０００９】
上記考案は次のように具体化するのがよい。
即ち、
請求項２に記載したように、前記照明具装着部が、前後側に対面した一対の第１傾斜面を前後側に下拡がり又は上拡がりの配置状態で形成された第１結合板と、前記一対の第１傾斜面の前後方向外側位置にこれら第１傾斜面に対面するように配置された一対の第２傾斜面を形成された第２結合板とを備え、前記第１傾斜面のそれぞれと、この第１傾斜面の対応する１つの第２傾斜面とをゴム質材からなる前記第１弾性部材で結合すると共に、前記第１及び第２結合板のうち何れか一方は前記縦向き支持パイプの下端に固定され、他方は前記照明具を固定されて支持する構成となされている構成となす。
【００１０】
また請求項３に記載したように、前記第１結合板及び又は前記第２結合板が円錐筒部を具備しており、前記第１傾斜面及び又は前記第２傾斜面が前記円錐筒部の前後個所に形成されている構成となす。
【００１１】
また請求項４に記載したように、前記照明具装着部が、前記縦向き支持パイプの下端に固定される第１支持板と、前記照明具を固定された第２支持板とを備え、前記第１支持板の前部と前記第２支持板の前部との間、及び、前記第１支持板の後部と前記第２支持板の後部との間のそれぞれを、縦向きのスプリングからなる前記第１弾性部材、及び、このスプリングを上下方向の伸縮変形可能に案内する案内部材を介して結合した構成となされているものとなす。
【００１２】
また請求項５に記載したように、前記止着部のそれぞれが、前記縦向き支持パイプに固定されていて前記縦向き支持パイプの前後何れかの側に上下で対向した一対の第１水平面を形成した上下一対の張出部材と、前記上下一対の水平面の間に配置され且つ、前記一対の第１水平面に対面する一対の第２水平面を具備した被支持部材とを備え、前記第１水平面のそれぞれと、この第１水平面の対応する１つの第２水平面とをゴム質材からなる前記第２弾性部材で結合した構成となされている構成となす。
【００１３】
さらには請求項６に記載したように、前記被支持部材が下方へ片持ち状に延出された下向き張出部を具備し、この下向き張出部がクレーン本体のガーダーの側面に設けられた弾圧支持部に上方から挿入され、この挿入状態の下で前記弾圧支持部の一部をなす弾圧手段を介して前記弾圧支持部の支持面に弾圧され位置保持される構成となす。
【考案の効果】
【００１４】
以上のような本考案によれば次のような効果が得られる。
即ち、
請求項１記載のものによれば、照明具を縦向き支持パイプの下端に第１弾性部材を介して前後方向の揺動変位可能に結合するものとなされているため、クレーン本体から照明具に伝達される前後振動が第１弾性部材で効果的に吸収されて減衰されるのであり、また止着部のそれぞれは縦向き支持パイプの前後何れかの個所に第２弾性部材を介して被支持部材を上下揺動可能に結合したものとなされているため、クレーン本体から照明具に伝達される上下振動が弾性部材で効果的に吸収されて減衰されるのであり、したがってクレーン本体から照明具に到達する上下振動や前後振動による衝撃が小さくなって、照明具の玉切れに対する寿命が従来の数倍程度まで長くなるのであり、また照明具のネジ止め個所が振動に起因して弛緩したり、ボルトが抜け落ちて照明具の部品が脱落するなどの事態が防止される。
【００１５】
また照明具の玉切れに対する寿命が長くなることから、玉切れに対する修理費も大幅に減少すると共に、玉切れの減少によりその修理は少ない手間で迅速に行われるようになるほか、クレーンの照明具の比較的長い玉切れ状態を回避することができる。
【００１６】
さらにクレーンの照明具が玉切れ状態のまま放置される事態が解消されて殆ど常時、正常な照明状態となるため、たとえ天井灯の照明がクレーン本体で遮られても、クレーン本体下方の作業場所は常に明るく照明され、荷体へのワイヤー掛け、荷体の昇降作業、クレーンにより移動される荷体の識別、又は、荷体や帳面への文字記入などの作業は的確に行えるようになる。
【００１７】
また請求項２記載のものによれば、照明具を縦向き支持パイプの下端に第１弾性部材を介して前後方向の揺動変位可能に結合するための構造が、少ない部品点数及び少ないネジ止め部材で安価に形成されるほか、第１結合板及び第２結合板及びゴム質の第１弾性部材を接着剤による接着で結合することにより、第１弾性部材の伸縮変形時に部品衝突による騒音の発生し難いものとなる。
【００１８】
また請求項３記載のものによれば、第１結合板及び又は前記第２結合板が単体の立体構造となって部品剛性を増大させることができるのであり、これにより照明具装着部の振動に対する作動を安定的となすほか照明具装着部の強度を増大させることができる。
【００１９】
また請求項４記載のものによれば、縦向きのスプリング及びこれの伸縮を上下方向へ案内する案内部材を使用するため、スプリングの弾性変形に伴う縦向き支持パイプに対する照明具の前後揺動可能範囲を、照明具の支持安定性を損なうことなく安定的に大きくなすことができ、大きな振幅の前後振動を効果的に減衰させることができる。
【００２０】
また請求項５記載のものによれば、縦向き支持パイプの前後何れかの個所に弾性部材を介して被支持部材を上下揺動可能に結合するための構造が、少ない部品点数及び少ないネジ止め部材で安価に形成されるほか、張出部材及び被支持部材の間の弾性部材の伸縮変形時に部品衝突による騒音の発生し難いものとなる。
【００２１】
さらに請求項６記載のものによれば、手による押し引き力で下向き張出部を弾圧支持部から脱着することにより、照明具をクレーン本体から分離させることができて、照明具の玉切れを簡易迅速に修理することができる。
【考案を実施するための最良の形態】
【００２２】
以下、本考案の実施の形態について図面を参照して詳細に説明する。
図１は本考案に係るクレーン用照明具取付装置の設けられた天井クレーンを装設された製鉄所などの工場を示す正面視断面図、図２は図１中のｘ１−ｘ１部を示す図、図３は前記クレーン用照明具取付装置を示すもので一部を断面で示す側面図、図４は前記クレーン用照明具取付装置の照明具装着部を拡大して示す側面視断面図、図５は前記クレーン用照明具取付装置のクレーン本体への止着構造を示しＡは照明具と一体化される部分の側面図でＢはクレーン本体に固定される部分の側面視断面図である。
【００２３】
図１において、１は工場の建物で、正面視左右の側壁部１ａ、１ｂ及び、屋根１ｃを備えている。屋根１ｃの裏側には多数の天井灯２が設けられており、これら天井灯２の下側に天井クレーン３が設けられている。
【００２４】
天井クレーン３は、左右の側壁部１ａ、１ｂのそれぞれの上部に形成された前後向き支持梁４ａ、４ｂの上面に固定された走行レール５ａ、５ｂと、これら左右の走行レール５ａ、５ｂにより左右端部を支持されたクレーン本体６と、このクレーン本体６の上面に左右方向ｆ１の走行移動可能に設けられたホイスト７とを備えている。
【００２５】
この際、各側の走行レール５ａ、５ｂは例えば１本の長さが１０メートル〜２０メートル程度のレール部材を一線状に配置して形成されているのであって、長いものでは全長が５０メートル以上に及ぶものとなされる。
【００２６】
クレーン本体６は、図２に示すように、左右向きの断面方形筒状となされた一対のガーダー７ａ、７ｂを前後の対状にしかも適当に離して配置すると共に、前後のガーダー７ａ、７ｂの左右の各端部を結合部材８で結合し、また前側のガーダー７ａの左右各端部に形成された前張出部ａ１と、後側のガーダー７ｂの左右各端部に形成された後張出部ａ２とのそれぞれの下面個所に走行輪１０ａ、１０ｂを装着すると共に、前側のガーダー７ａの前面部と、後側のガーダー７ｂの後面部とに本考案に係るクレーン用照明具取付装置１００を使用して照明具１１を取り付けると共に、前後のガーダー７ａ、７ｂの上面部に左右向きで前後一対からなる走行レールｂ１、ｂ２を固設した構成となされている。
【００２７】
そしてホイスト７は、前後一対からなる走行レールｂ１、ｂ２上を跨ぐように配置された本体フレーム１２を備えると共に、この本体フレーム１２を走行レールｂ１、ｂ２上で左右方向ｆ１へ走行移動させるための走行輪１３を本体フレーム１２の下面側四隅に装設し、本体フレーム１２の下方に電磁力で荷体ｗを吸着する電磁吸着具１４を配置すると共に、本体フレーム１２上に電磁吸着具１４を昇降変位させるためのモータ１５及びワイヤドラム１６を設けるほか、ワイヤドラム１６に電磁吸着具１４を吊り支持した吊りワイヤ１７を巻回させたものとなされている。
【００２８】
次に上記クレーン用照明具取付装置１００の詳細を説明する。
図３に示すように、クレーン用照明具取付装置１００は縦向き支持パイプ１８を備えると共に、この縦向き支持パイプ１８の下端に照明具装着部１９を、そしてこの縦向き支持パイプ１８の長さ方向途中の上下２個所のそれぞれに止着部２０を形成されている。
【００２９】
そして、照明具装着部１９は照明具１１を縦向き支持パイプ１８の下端に第１弾性部材２１、２１を介して前後方向ｆ２の揺動変位可能に結合したものとなされており、また各止着部２０は縦向き支持パイプ１８の前後何れかの個所に第２弾性部材２２を介して被支持部材２３を上下揺動可能に結合したものとなされている。
【００３０】
この際、照明具装着部１９及び各止着部２０は任意に具体化し得るものであるが、例えば次のようなものとなされる。
即ち、照明具装着部１９については、図４にも示すように、前後側に対面した一対の第１傾斜面ｃ１、ｃ１を例えば図示のような下拡がりの配置状態に、又は上拡がり状の配置状態に形成された第１結合板２４と、前記一対の第１傾斜面ｃ１、ｃ１の前後方向外側位置にこれら第１傾斜面ｃ１、ｃ１に対面するように配置された一対の第２傾斜面ｃ２、ｃ２を形成された第２結合板２５とを設け、各第１傾斜面ｃ１と、この第１傾斜面ｃ１の対応する１つの第２傾斜面ｃ２とを耐衝撃性のゴム質材からなる弾性部材２１で結合すると共に、第１及び第２結合板２４、２５のうち何れか一方（図示例では第１結合板２４）は縦向き支持パイプ１８の下端に固定され、他方は照明具１１を支持するための逆Ｕ字形部材２５ａをボルトを介して固定された構成となされる。
【００３１】
さらに具体的には、第１結合板２４及び又は第２結合板２５が円錐筒部ｄ１、ｄ２を具備したものとなされ、この円錐筒部ｄ１、ｄ２の前後個所に第１傾斜面ｃ１又は第２傾斜面ｃ２を形成したものとなされる。このようにすれば、第１結合板２４又は第２結合板２５の剛性が増大して照明具装着部１９の全体構造を軽量となすことができる。
【００３２】
なお、照明具１１は水銀灯などの照明ランプ１１ａと、この照明ランプ１１ａをネジ込み装着される電気接続部１１ｂと、照明ランプ１１ａの上部及び側周囲を覆う傘部１１ｃとからなっており、電気接続部１１ｂが前記逆Ｕ字形部材２５ａにボルトなどを介して固定状に結合されている。
【００３３】
一方、止着部２０については、図５にも示すように、縦向き支持パイプ１８に固定され縦向き支持パイプ１８の前後何れかの側（クレーン本体６側に近い側）に上下一対の第１水平面ｃ３、ｃ３を形成された張出部材２６ａ、２６ｂと、上下一対の第１水平面ｃ３、ｃ３の間に配置され且つ、これら一対の第１水平面ｃ３、ｃ３に対面する一対の第２水平面ｃ４、ｃ４を形成された被支持部材２３とを備え、各第１水平面ｃ３と、この第１水平面ｃ３の対応する１つの第２水平面ｃ４とを耐衝撃性のゴム質材からなる弾性部材２２で結合した構成となされる。
なお、第１傾斜面ｃ１、第２傾斜面ｃ２、第１水平面ｃ３又は第２水平面ｃ４と、弾性部材２１、２２とは接着剤などにより接着される。
【００３４】
上記被支持部材２２は下方へ片持ち状に延出された下向き張出部２２ａを具備したものとなすのがよいのであり、図３に示す被支持部材２２は横向きＵ字形部材２８と、これの中央辺部から下向きに張り出されて下向き張出部２２ａとなされた上下向き板２９とをボルトで結合したものとなされている。
【００３５】
各止着部２０にはその一部をなす弾圧支持部３０が形成されるのであり、この弾圧支持部３０は下向き張出部２２ａを上方から挿入されていて弾圧力による摩擦力でこれの抜け出しが規制されている状態で支持するもので、ガーダー７ａの前面部又はガーダー７ｂの後面部の、左右方向上の３個所のそれぞれの上下個所に固定状に形成されている。
【００３６】
各弾圧支持部３０は、図５Ｂに示すように、クレーン本体６に固定される平板部材３１Ａと平面視コ字形の板部材３１Ｂとからなる本体部材３１と、この本体部材３１の内方に位置され上端を誘い込み状に屈曲され前後方向ｆ２の移動自在となされた押圧板３２と、この押圧板３２を前後移動のみ可能に支持する２本の案内棒３３と、この案内棒３３のそれぞれに圧縮状態に外嵌され押圧板３２を本体部材３１の支持面３１ａに押圧するスプリング３４とを備えてなり、照明具１１の使用状態で図３に示すように支持面ｄ１と押圧板３２との間に下向き張出部２２ａを挿入されてこれをスプリング３４、３４の弾力で弾圧状に挟み付けるものとなされている。
【００３７】
図１中、３５は縦向き支持パイプ１８の上端に結合されたケーブル導入部、３６はこのケーブル導入部３５から縦向き支持パイプ１８内に導入されたケーブルであり、ケーブル３６の先端は電気接続部１１ｂを介して照明ランプ１１ａに接続され、ケーブル３６の基端には電源プラグ３７が接続されている。この電気プラグ３７はクレーン本体６に固定された給電用の図示しないソケットに差し込まれる。３８はクレーン本体６から吊り下げられた遠隔操作スイッチである。
そして、図２中、３９ａ及び３９ｂはガーダー７ａの前面部近傍又はガーダー７ｂの後面部近傍に設けられた保守用歩廊である。
【００３８】
次に本考案に係る天井クレーン３やクレーン用照明具取付装置１００の使用例及び作用などについて説明する。
天井クレーン３で床面ＦＬ上に置かれた鋼板などの荷体ｗを特定場所に移動させるときには、遠隔操作スイッチ３９を操作するのであり、これにより、クレーン本体６は走行輪１０ａ、１０ｂの回転により前後方向ｆ２へ移動されて吊り上げるべき荷体ｗの真上に位置されるのであり、次にホイスト７が走行輪１３、１３の回転により左右方向ｆ１へ移動されて荷体ｗの真上に位置され、次にワイヤドラム１６が回転して電磁吸着具１４が降下されて荷体ｗに接触し、次に電磁吸着具１４が給電されて荷体ｗが電磁力で吸着され、次にワイヤドラム１６が回転されて電磁吸着具１４及びこれに吸着された荷体ｗが特定高さ位置まで上昇されるのであり、次にこの上昇状態が保持されたままクレーン本体６は走行輪１０ａ、１０ｂの回転により前後方向ｆ２へ移動されて目的位置の真上まで移動されるのであり、次にホイスト７が走行輪１３、１３の回転により左右方向ｆ１へ移動されて目的位置の真上に位置され、次にワイヤドラム１６が回転して電磁吸着具１４に吸着された荷体ｗが床面ＦＬまで降下され、次に電磁吸着具１４への給電が停止されて電磁吸着具１４による荷体の吸引力が開放され、荷体ｗは目的位置に定置された状態となる。
【００３９】
このような天井クレーン３の使用中、荷体ｗの重量が数十トン程度に及ぶときには、荷体ｗの吊上げ吊降ろしのときにクレーン本体６は大きな振幅の上下振動を衝撃的に付与されたり、また走行レール５ａ、５ｂ上の走行移動時に走行輪１０ａ、１０ｂが走行レール５ａ、５ｂの図２に示す継ぎ目ｅ１上に位置したとき又は走行レール５ａ、５ｂ上の走行移動の開始時若しくは停止時に大きな振幅の上下振動及び前後振動を衝撃的に付与される。
【００４０】
このように付与された振動は弾圧支持部３０、３０、被支持部材２３、弾性部材２２、張出部材２６ａ、２６ｂ、縦向き支持パイプ１８、第１結合板２４、弾性部材２１、第２結合板２５及び逆Ｕ字形部材２５ａをこの順に経て照明具１１に伝達されるのであり、この伝達中、第２弾性部材２２が被支持部材２３と張出部材２６ａ、２６ｂとの間で主に上下方向の慣性力により繰り返し上下方向へ伸縮変形されて振動のエネルギーを吸収し上下方向の振動の振幅を効果的に減衰させるのであり、一方、第１弾性部材２１が第１結合板２４と第２結合板２５との間で主に前後方向ｆ２の慣性力により繰り返し前後方向へ伸縮変形されて前後向き振動のエネルギーを吸収し前後方向ｆ２の振動ｖの振幅を効果的に減衰させる。
【００４１】
したがって照明具１１の照明ランプ１１ａに付与される振動はクレーン本体６に生じた振動に較べて大きく減衰され、照明具１１の寿命は従来の数倍に伸びてその玉切れ（照明ランプ１１ａの発熱通電部の切断）の頻度が大きく低下するのである。
【００４２】
実際の使用において、各照明具１１の玉切れは従来方式では凡そ６ケ月程度で生じていたが、本考案によるときは凡そ１．５年以上経過しても生じないものとなった。
【００４３】
照明具１１の玉切れ頻度が低下することは、たとえ多数の照明具１１であっても少ない作業者により玉切れを迅速に修理することを可能となすのであり、またクレーン本体６の下方の照明が玉切れにより一時的に不十分となることがあっても長期に亘って不十分となることは回避できるようになり、したがって天井灯２の照明がクレーン本体６で遮られてクレーン本体６下方まで到達しない場合にも作業者は照明具１１による十分な明かりの下でクレーンによる作業を的確に行うことができるのである。
【００４４】
また上下の下向き張出部２２ａが弾圧支持部３０で支持された図３に示す状態では、弾圧支持部３０を除くクレーン用照明具取付装置１００とこれに取り付けられた照明具１１からなる照明具一体化部分の重量が下向き張出部２２ａに作用すると共に、弾性部材３４、３４の弾力により下向き張出部２２ａの上下移動に対抗する摩擦力が作用するため、クレーン本体６の上下振動及び前後振動によっても、各下向き張出部２２ａが弾圧支持部３０から抜け出ることは確実に阻止される。
【００４５】
また本考案に係るクレーン用照明具取付装置１００により支持された照明具１１に玉切れが生じたたときの修理は例えば次のように行う。
即ち、作業者は歩廊３８ａ又は３８ｂなどに上がり、玉切れした照明具１１を支持したクレーン用照明具取付装置１００に接近し、先ずそれの電源プラグ３７を給電側の図示しないソケットから抜き外し、次にその縦向き支持パイプ１８を手で持って引き上げ、上下の下向き張出部２２ａをその対応する弾圧支持部３０の押圧板３２と支持面３１ａとの間から弾圧部材３３、３３による弾圧力に基づく抵抗力に抗して上方へ抜き出す。これにより、前記照明具一体化部分がクレーン本体６側から分離され自由に移動される状態となる。
【００４６】
次に前記照明具一体化部分を歩廊３８ａ又は３８ｂ上などに横置きし、玉切れした照明ランプ１１ａを抜き外し、代わりに正常な照明ランプ１１ａを取り付ける。
この後、前記照明具一体化部分の縦向き支持パイプ１８を再び手で持ち上げて上下の下向き張出部２２ａの先端を弾圧支持部３０の支持面３１ａと押圧板３２との間の上端位置の誘い込み形状位置に合致させ、強く下方へ押し下げ、各下向き張出部２２ａを弾圧支持部３０の支持面３１ａと押圧板３２との間に弾性部材３３、３３の弾力により発生される摩擦力に抗して押し入れ、図３に示すような状態に復帰させる。そして最後に電源プラグ３７を給電用の図示しないソケットに差し込む。
【００４７】
上記した本考案に係るクレーン用照明具取付装置１００の照明具装着部１９は図６に示すように変形することができる。ここに、図６は照明具装着部１９の変形例を示す側面図であり。
図中、２４ａは縦向き支持パイプ１８の下端に固着された第１支持板としての水平板部材であり、前記逆Ｕ字形部材２５ａは第２支持板として機能させている。水平板部材２４ａと、逆Ｕ字形部材２５ａの中央水平面部ｇとの前後端近傍個所のそれぞれに透孔が形成され、これら透孔のうち前後それぞれの側で上下で対向した２つの透孔に軸状の案内部材２１ａが遊挿されている。各案内部材２１ａの上下端のそれぞれに抜け止め部ｈ１、ｈ２が形成され、水平板部材２４ａと、逆Ｕ字形部材２５ａの中央水平面部ｇとの間に位置した各案内部材２１ａの部分に外挿された圧縮状のスプリングからなる第２弾性部材２１の弾力により、水平板部材２４ａと中央水平面ｇとがそれぞれの対応する抜け止め部ｈ１、ｈ２に押し当てられ案内部材２１ａからの抜け出しを規制された状態となっている。
【００４８】
このように変形したクレーン用照明具取付装置１００が先の例に準じてクレーン本体６に止着された状態の下でクレーン本体６が前後振動すると、この振動が縦向き支持パイプ１８を経て照明具装着部１９に伝達されるが、このとき、スプリング２１は案内部材２１ａに案内されつつ先の実施例の第２弾性部材２１と同様に繰り返し弾性により上下方向へ伸縮変形して振動エネルギを吸収し、照明具１１に前後振動による大きな衝撃が付与されるのを阻止する。したがって、この変形例によっても先の実施例の場合と同様な効果が得られるのである。
【図面の簡単な説明】
【００４９】
【図１】本考案に係るクレーン用照明具取付装置の使用された製鉄所などの工場を示す正面視断面図である。
【図２】図１中のｘ１−ｘ１部を示す図である。
【図３】前記クレーン用照明具取付装置を示すもので一部を断面で示した側面図である。
【図４】前記クレーン用照明具取付装置の照明具装着部を拡大して示す側面視断面図である。
【図５】前記クレーン用照明具取付装置のクレーンへの止着構造を示しＡは照明具側を支持する部分の側面図でＢはクレーンに固定される部分の側面視断面図である。
【図６】前記クレーン用照明具取付装置の照明具装着部の変形例を示す側面図である。
【符号の説明】
【００５０】
６  クレーン本体
７ａ  ガーダー
７ｂ  ガーダー
１１  照明具
１８  縦向き支持パイプ
１９  照明具装着部
２０  止着部
２１  第１弾性部材（スプリング）
２１ａ  案内部材
２２  第２弾性部材
２２ａ  下向き張出部
２３  被支持部材
２４  第１結合板
２４ａ  第１支持板
２５  第２結合板
２５ａ  第２支持板
２６ａ  張出部材
２６ｂ  張出部材
３０  弾圧支持部
３２  押圧板（弾圧手段）
３３  案内棒
３４  弾性部材（弾圧手段）
ｃ１  第１傾斜面
ｃ２  第２傾斜面
ｃ３  第１水平面
ｃ４  第２水平面
ｄ１  円錐筒部
ｄ２  円錐筒部
ｆ２  前後方向
【図１】
0003112707.tif 000003
【図２】
0003112707.tif 000004
【図３】
0003112707.tif 000005
【図４】
0003112707.tif 000006
【図５】
0003112707.tif 000007
【図６】
0003112707.tif 000008